(57)【要約】      （修正有）【課題】昆虫飼育箱、特に飼育箱内を確実に通気し得ると供に、外部から異物又は異生物が侵入し得ず、内部に生活する昆虫が負傷もせずに自由闊達に行動し得る経済的且つ衛生的な此の種飼育箱を提供する。【解決手段】昆虫飼育箱1は、底部外側に所定寸法及び所定数の脚部を供えた適当な材質及び所定形状の箱本体と、天井部外側の縁部に沿って所定寸法の溝部を備えた二段構造の蓋部2とより構成され、前記蓋部の箱本体との嵌合稜線内側に多数の所定寸法のくの字状の通気用溝が設けられ、更に此の蓋部の天井部外側周縁に沿い所定寸法の溝が切削され、上記くの字状の通気用の溝で異物の侵入を防ぎつつ新鮮な空気を内部に取り込むと供に、前記天井部外側の溝内に、箱本体底部の脚部を組み込んで適当数の飼育箱を積み重ねる様に構成されている事を特徴とする。【選択図】図１
0003102295.tif 000002
【実用新案登録請求の範囲】
【請求項１】
透明若しくは不透明の適当形状の昆虫飼育箱本体と、此の飼育箱本体の上部開口部に嵌合する二段構造の同質若しくは異質の蓋部とより成り、前記箱本体の底部に適当寸法の少なくとも四本の脚部を設けると供に、前記蓋部の箱本体との嵌合部の稜線内側に所定寸法の多数のくの字状溝部を付設し、更に前記二段構造の蓋部の天井部外側周縁に沿って所定寸法且つ相似形状の溝を切削した事を特徴とする昆虫飼育箱。
【請求項２】
前記昆虫飼育箱本体及び蓋部が、供に立方体又は曲面体である事を特徴とする請求項１記載の昆虫飼育箱。
【考案の詳細な説明】
【技術分野】
【０００１】      本考案は、昆虫飼育箱特に飼育箱内の衛生と飼育昆虫の安全を約束する優れた昆虫飼育箱に関する。
【背景技術】
【０００２】      従来の昆虫飼育箱は、低級なものでは単に網若しくは籠又は格子状に組立てられた箱等が使用されて来ており、近年の昆虫ブームに至って、その飼育箱も高級化し、通常は、透明な箱本体と通気孔又は網状の窓を備えた蓋とより成るものが使用されている。【０００３】      然しながら、飼育箱の通気孔が大き過ぎると外部からは蠅が侵入して、昆虫の食物や排泄物に集って小蠅が発生し、非衛生的な環境を醸成したり、小型昆虫が逃亡したりする欠点があり、逆にこれが小さ過ぎると異物に依ってその目が詰って内部の酸欠状態を引き起こして飼育昆虫を死亡させたりする欠点がある。【０００４】      更に又、たとえ此等の通気孔が適度の寸法のものであっても飼育昆虫の体の一部例えば足、爪、触角等が捕らえられて負傷したり活動を制限されたりする危険も内在している。
従って、此の通気孔の寸法、形状及び配置場所等の選択は、常時その製造者、飼育者の注意せねば成らない問題点でもあった。
かかる点を考慮して、近時下記の如き新技術が開示されている。
【先行特許文献１】
特許公開２００１−５４３３９
【考案の開示】
【考案が解決しようとする課題】
【０００５】      本考案は、この様な従来品の欠点と飼育昆虫の生活必須条件に鑑み、その生死にかかわる通気孔を飼育箱の適当箇所に適当な形状で設け、充分快適に生活し得る住空間を提供すると供に、外部からは蠅等が侵入することが出来ず、内部の生活空間を清潔に維持し得る飼育箱を提供する事を一課題とし、此等通気手段に依って昆虫自体を負傷させたりその活動を制限したりすることもなく、飼育方法が合理的で見栄えの良い此の種飼育箱を提供する事を他の課題とするものである。【０００６】      本考案の上記した課題並びに特徴は、以下に説明する図面を参照した実施例に依って明確になると思われるが、此の図面は専ら説明のための記載であって、本考案の登録範囲を限定するものではない。
【課題を解決するための手段】
【０００７】      上記した課題を解決する為に本考案の飼育箱は、その箱本体に係合する蓋の稜線部分の裏側に、細い幅を持つくの字状の溝を適当数形成し、その方形の天井部表面の四辺に沿って、所定寸法の箱本体の脚部を受け入れる方形の溝を設けた事を特徴とするものである。
【考案の効果】
【０００８】      斯の如き構成の本考案の昆虫飼育箱は、その蓋の稜線部分の内側にくの字状の溝として通気孔が設けられているので、ゴミ等の異物に依って閉塞される事も、昆虫自身の足、触角等を引っ掛けて負傷させ、昆虫の行動を制限する事も無い。
又、箱本体の外壁に沿って下向きに開孔する通気孔からは、蠅等の昆虫の侵入を許さないので、箱内の生活環境は快適に維持される。
更に前記蓋の天井外側の方形溝は、他の箱の脚部をきっちりと受け入れる事が可能なので、夫々の通気溝を塞ぐ事なく所望数を重ね合わせ、多数の昆虫商品を狭い店頭に展示する事が可能なので、この種商品流通業界に於ては、極めて有効な飼育箱として受け入れられると推測される。
【考案を実施するための最良の形態】
【実施例】
【０００９】      本考案の昆虫飼育箱は、図１に示す如く、主として昆虫飼育箱本体（１）と、その蓋部（２）と、前記箱本体（１）に付設された適当寸法の脚部（４）より成る。【００１０】      此等構成部分の内上記箱本体（１）は、如何なる形状及び如何なる材質であっても良いが、一般に方形容器又は円筒容器で飼育する昆虫の生態が観察出来る透明な材料例えばプラスチック或はガラスであるのが好ましい。
然しながら飼育する昆虫が死亡し、負傷或は逃亡せず、外部から異物又は異質生物が混入又は侵入しない材料であれば如何なる材料であっても差し支えないものである。【００１１】      一方、本考案の蓋部（２）も又箱本体の形状及び材料と同質、同形であるのが好ましいが、異質の材料例えば木材、軽金属等であっても差し支えない。
更に此の蓋部（２）は、図１に示す如く、前記箱本体と嵌合する稜線部分（６）の裏側にくの字状の多数の溝（３）（３）が設けられていると同時に、段差を付けて設けられた天上部（７）の四辺に沿って、所定幅、所定深さの方形の溝（５）が設けられている。【００１２】      此等箱本体（１）と蓋部（２）とが組合わされた場合、前記くの字状の通気溝（３）は、その半分が箱（１）の上部外壁と接して下向きに開口し、他の半分は箱開口の上縁を跨がって内向きに開口している。
従って外部の空気は、Ｆ方向からＦ’方向に流れ込み、又その反対にＦ’方向からＦ方向に流れ出る。
その結果、箱本体又は蓋部本体は、直接開けられた貫通孔に比して外部から異物が侵入し難く、箱内に生活する昆虫も、此の様な稜線部まではい上がる機会は少なく、若しはい上がったとしても、下向きの溝の中又はその角部に体の一部特に爪先を引っ掛けて負傷する事は皆無であるから、昆虫の生活活動は何等制限される事がない。【００１３】      更に又、蠅等の小昆虫も容器又は蓋上での直接的な貫通孔でない為、その入口に気が付き難く、しかもくの字状の細い通路を経なければならないので、箱内に侵入する事は先ず不可能である。【００１４】      この様な飼育箱は、店頭での陳列時には、図２に示す如く、一個の箱の脚部（４）を他の一個の箱蓋上の方形の溝（５）内にセットして陳列される様に構成されており、狭い店頭での展示を合理化すると供に、顧客側では一度に多くの昆虫を物色し得るので購買意欲を高め得る利益がある。
勿論、此の場合の箱内えの通気性は何ら妨げられる心配はない様に配慮されている。
【産業上の利用可能性】
【００１５】      斯の如き構成及び作用に依って本昆虫飼育箱は、箱本体又は蓋部本体に直接開口された貫通孔でないので、その開孔が汚物、異物等に依って塞がれる事がなく、常に新鮮な空気が流通し、昆虫の一部を引っ掛ける事もないので、内部に居住する昆虫は傷を負う心配もなく自由闊達に行動する事が出来る。
又、外部からの蠅の侵入を防止するので内部に小蠅等がわかず、常に衛生的に維持する事が出来ると同時に、狭小な場所でも多数の箱を体裁よく収納又は展示し得るので、斯界並びに顧客間に好感を以て利用されると推測される。
【図面の簡単な説明】
【００１６】
【図１】  本考案の昆虫飼育箱の斜視図である。
【図２】  図１の線Ａ−Ａに沿って切断した本考案の昆虫飼育箱を示すと供に其等の二個を積み重ねて使用する場合を示す切断側面図である。
【符号の説明】
【００１７】  １    昆虫飼育箱
２    昆虫飼育箱蓋部
３    くの字状溝
４    昆虫飼育箱本体脚部
５    積重ね用方形の溝
【図１】
0003102295.tif 000003
【図２】
0003102295.tif 000004